(57)【要約】【課題】絵柄を短時間で表示でき、また経時劣化も少ない絵柄表示装置及び回胴式遊技機を提供する。【解決手段】スロットマシン１のリール１０ａ、１０ｂ、１０ｃの前方に装備される絵柄表示装置５０であって、絵柄が描かれた表示板５１ａを前後に重ねて収容する収容部５２と、収容部内の表示板を支持するとともに選択的に落下させる支持ゲート機構部５５ａと、落下した表示板を所定の表示位置に案内する案内部５３ａとを備える。各表示位置に落下させた表示板により、後方のリール１０ａに優先して上下一対の絵柄を順次表示し、また表示位置にある全ての表示板が回収機構部５４ａによるワンウェイ動作で収容部に回収される。かかる構成により、リールに優先する絵柄を短時間で変動表示させる。【選択図】図６
2008237514.tif 000002
【特許請求の範囲】
【請求項１】
前面に絵柄を有する矩形カード状の表示板を前後方向に重ね合わせた状態で複数枚収容し得る収容部と、
前記表示板をその下縁部を支持して前記収容部に収容させるとともに、前記収容部内の任意に選択される収容位置に収容された表示板の支持状態を解除して当該表示板を表示位置へ落下させる支持ゲート機構部と、
前記各収容位置から落下する前記表示板の側縁部を遊挿させ当該表示板を前記表示位置に案内して保持する案内部と、
前記表示板の側縁部から突出する突出片を支承して、前記表示位置に保持される表示板を前記収容位置に揚送して収容させる回収機構部と、を備えていることを特徴とする絵柄表示装置。
【請求項２】
前面に絵柄を有する矩形カード状の表示板を前後方向に重ね合わせた状態で複数枚収容し得る収容部と、
前記表示板をその下縁部を支持して前記収容部に収容させるとともに、前記収容部内の任意に選択される収容位置に収容された表示板の支持状態を解除して当該表示板により高さが異なる上下一対の表示面を形成する第１表示位置又は第２表示位置へ落下させる支持ゲート機構部と、
前記各収容位置から落下する前記表示板の側縁部を遊挿させ、当該表示板をそれぞれの収容位置に応じて予め定められる前記第１表示位置又は第２表示位置へ案内して保持する案内部と、
前記表示板の側縁部から突出する突出片を支承して、前記第１表示位置又は第２表示位置の少なくとも何れかの位置に保持される表示板を前記収容位置に揚送して収容させる回収機構部と、を備えていることを特徴とする絵柄表示装置。
【請求項３】
外周面に図柄を配置した回転可能な円筒状のリールを備える回胴式遊技機であって、
請求項１に記載の絵柄表示装置を、前記表示板が保持される前記表示位置と前記リールによる図柄の位置とを前後方向において一致させて配置したことを特徴とする回胴式遊技機。
【請求項４】
外周面に図柄を配置した回転可能な円筒状のリールを備える回胴式遊技機であって、
請求項２に記載の絵柄表示装置を、前記第１表示位置及び前記第２表示位置に保持される上下一対の表示板により形成される表示面の位置と前記リールによる図柄の位置とを前後方向において一致させて配置したことを特徴とする回胴式遊技機。
【発明の詳細な説明】
【技術分野】
【０００１】
本発明は、表示位置に保持される表示板で絵柄等を変動して表示する絵柄表示装置及び絵柄表示装置を備える回胴式遊技機に関する。
【背景技術】
【０００２】
従来、スロットマシン等の回胴式遊技機は、円筒状の外周面に複数種類の図柄を配列した回転可能なリール（回胴）を複数搭載し、それぞれのリールが回転して変動表示させた図柄の組み合わせで勝敗を決めるゲームを遊技者に提供している。
【０００３】
例えば、スロットマシンは、遊技者の操作によりリールの回転及び停止の制御がされ、停止したリールが表示する図柄が例えば同じ種類で一列に揃う等、所定の態様で表示されたとき入賞が成立し、その図柄（入賞）の種類に応じた枚数のメダルが遊技者に配当として払い出すように構成されている。また、遊技者は、スロットマシンの内部的な抽選を前提に特別の入賞を成立させると、後続するゲームを通常よりも有利な条件でできるいわゆるボーナスゲームを獲得することもできる。
【０００４】
かかるスロットマシンには、ゲームの演出用として様々な種類の表示装置が提案され備えられている。そのうち、例えばリーフ式表示装置は、回転駆動されるドラムの外周に複数の表示板を回転自在に支持し、表示面を構成する上下一対の表示板のうち上側の表示板を表示位置にストッパで係止した状態でドラムを任意の位置で停止させることにより、その表示位置に位置する上下一対の当該表示板で絵柄を変動表示している（例えば特許文献１参照）。
【０００５】
【特許文献１】特開平８−１１２４００号公報
【発明の開示】
【発明が解決しようとする課題】
【０００６】
しかし、上述した従来のリーフ式表示装置は、ドラムを回転させて表示板を表示位置に係止するため、選択した絵柄を表示するまでに若干時間がかかるといった課題があった。また、ドラムの回転により表示板の端部とストッパとが常に擦れ、絵柄が薄くなったり、係止状態が悪くなったりする等の場合があった。
【０００７】
本発明は、こうした従来の問題に鑑みてなされたものであり、絵柄を短時間で表示でき、また長期的な使用にも好適な絵柄表示装置、及びかかる絵柄表示装置を備えた回胴式遊技機を提供することを目的としている。
【課題を解決するための手段】
【０００８】
以下、上述した課題を解決するための本発明の有効な手段及び作用を説明する。
【０００９】
手段１は、絵柄表示装置であって、前面に絵柄を有する矩形カード状の表示板を前後方向に重ね合わせた状態で複数枚収容し得る収容部と、前記表示板をその下縁部を支持して前記収容部に収容させるとともに、前記収容部内の任意に選択される収容位置に収容された表示板の支持状態を解除して当該表示板を表示位置へ落下させる支持ゲート機構部と、前記各収容位置から落下する前記表示板の側縁部を遊挿させ当該表示板を前記表示位置に案内して保持する案内部と、前記表示板の側縁部から突出する突出片を支承して、前記表示位置に保持される表示板を前記収容位置に揚送して収容させる回収機構部とを備える。
【００１０】
手段１の絵柄表示装置によれば、選択される表示板を表示位置に落下させてその前面で絵柄を順次表示する。また、表示位置にある全ての表示板を回収機構部が収容部の所定収容位置に収容する。これにより、絵柄を短時間で変動表示でき、また表示のサイクルも高速化する。
【００１１】
手段２は、絵柄表示装置であって、前面に絵柄を有する矩形カード状の表示板を前後方向に重ね合わせた状態で複数枚収容し得る収容部と、前記表示板をその下縁部を支持して前記収容部に収容させるとともに、前記収容部内の任意に選択される収容位置に収容された表示板の支持状態を解除して当該表示板により高さが異なる上下一対の表示面を形成する第１表示位置又は第２表示位置へ落下させる支持ゲート機構部と、前記各収容位置から落下する前記表示板の側縁部を遊挿させ、当該表示板をそれぞれの収容位置に応じて予め定められる前記第１表示位置又は第２表示位置へ案内して保持する案内部と、前記表示板の側縁部から突出する突出片を支承して、前記第１表示位置又は第２表示位置の少なくとも何れかの位置に保持される表示板を前記収容位置に揚送して収容させる回収機構部とを備える。
【００１２】
手段２の絵柄表示装置によれば、選択される表示板を第１表示位置と第２表示位置に落下させて、それらの前面からなる上下一対の表示面により絵柄を形成し順次表示する。また、第１表示位置又は第２表示位置にある表示板を回収機構部が収容部の所定収容位置に収容する。これにより、絵柄を短時間で変動表示でき、また表示のサイクルも高速化する。
【００１３】
手段３は、外周面に図柄を配置した回転可能な円筒状のリールを備える回胴式遊技機であって、手段１の絵柄表示装置を、前記表示板が保持される前記絵柄表示位置と前記リールによる図柄の位置とを前後方向において一致させて配置する。
【００１４】
手段３の回胴式遊技機によれば、リールの前方を覆う表示位置に表示板を落下させることで、リールの図柄に優先して表示板の絵柄を表示させる。これにより、リールの図柄に連携した多様な絵柄による演出表示が可能となる。
【００１５】
手段４は、外周面に図柄を配置した回転可能な円筒状のリールを備える回胴式遊技機であって、手段２の絵柄表示装置を、前記第１表示位置及び前記第２表示位置に保持される上下一対の表示板により形成される表示面の位置と前記リールによる図柄の位置とを前後方向において一致させて配置する。
【００１６】
手段４の回胴式遊技機によれば、リールの前方を覆う第１表示位置と第２表示位置に表示板を落下させることで、リールの図柄に優先して上下一対の表示板で形成される絵柄を表示させる。これにより、リールの図柄に連携した多様な絵柄による演出表示が可能となる。
【発明の効果】
【００１７】
上述したように、本発明の絵柄表示装置によれば、リーフ式表示装置等の従来の表示装置に比較して絵柄を短時間で変動表示でき、また表示のサイクルも高速化することができる。また、絵柄表示装置を装備する回胴式遊技機によれば、リールの図柄に優先して表示板の絵柄を表示させることでリールの図柄に連携した多様な絵柄による演出表示が可能となり、視覚的な演出効果を高める。
【発明を実施するための最良の形態】
【００１８】
以下、本発明に係る回胴式遊技機としてスロットマシン１を例にその好適な実施形態を説明する。ここで、図１はスロットマシン１の前面の外観構造を表した正面図である。
【００１９】
スロットマシン１は、箱状のキャビネットの前面側開口部を塞ぐ位置に前扉３が開閉可能にロックされている。前扉３の前面は、遊技者に面する化粧板としてのいわゆるフロントマスクが形成されている。フロントマスクの上段部には、ゲームのキャラクタ等のアニメーション画像を表示して、内部当たりの告知や入賞を演出するための液晶表示装置８が配設されている。また、ゲームの進行に応じて点灯及び点滅する光によりゲームを演出するフィーバーランプ５ａ、５ｂ、５ｃと、楽音や効果音によりゲームを演出する上下左右のスピーカ６ａ、６ｂ、７ａ、７ｂが配置されている。
【００２０】
フロントマスクの中段部には、平坦な樹脂板からなる中パネル９が備えられ、中パネル９の中央に形成された四角形の透明な表示窓９ａ、９ｂ、９ｃを介して、筐体３０内部の３個のリール１０ａ、１０ｂ、１０ｃが目視される。なお、各リール１０ａ、１０ｂ、１０ｃはそれぞれ独立して回転可能であり、それぞれの周面に描かれた縦３個、横３列の図柄（図示略）が、表示窓９ａ、９ｂ、９ｃを通して目視されるようになっている。また、表示窓９ａ、９ｂ、９ｃの裏面側には図示しない後述の絵柄表示装置５０が設置されている。
【００２１】
中パネル９の下方には、前方に若干突出する卓状の操作卓が形成されている。この操作卓には、ゲームに賭けるメダルを投入するためのメダル投入部１１と、ゲーム開始を指示するベットボタン１２と、リール１０ａ、１０ｂ、１０ｃの回転開始を指示するスタートレバー１３と、各リール１０ａ、１０ｂ、１０ｃの回転停止を指示するストップボタン１４ａ、１４ｂ、１４ｃ等がそれぞれ所定の位置に配設されている。
【００２２】
フロントマスクの最下部には、入賞等の際にメダルを払い出すメダル払出口１６と、払い出されたメダルを貯留する受け皿４ａを有する受け皿部材４が取り付けられている。また、受け皿部材４には、ゲームの演出効果音を発生させるスピーカ１７ａ、１７ｂがそれぞれ左右位置に配置されている。
【００２３】
かかるスロットマシン１は、キャビネットに内蔵される不図示の主制御基板によりゲーム動作が制御される。すなわち、スロットマシン１は、先のゲームにおいて入賞しメダルの払い出しを完了させた時、または先のゲームにおいてハズレが確定すると待機状態となる。この状態において、遊技者によりベットボタン１２が押圧操作されると、内部に貯留したメダル（クレジット）から当該ゲームにメダルが賭けられゲームが開始する。このゲーム開始の状態でスタートレバー１３が傾倒操作されると、主制御基板は、リール１０ａ、１０ｂ、１０ｃを一斉に回転させる。これと同時に抽選手段が乱数値に基づく抽選（内部抽選）を行い、有効ラインに引き込み停止制御可能な図柄の組み合せ、すなわち入賞を内定し若しくはハズレを決定する。この内部抽選により何れかの入賞を当選したとき、その結果がＲＡＭの所定記憶領域に設定されるフラグにセットされる。
【００２４】
次に、主制御基板は、ストップボタン１４ａ、１４ｂ、１４ｃが押圧操作されるに応じて、対応するリールを順に停止させる。そして、主制御基板は、全てのリール１０ａ、１０ｂ、１０ｃが停止したのを検知した後、各リール１０ａ、１０ｂ、１０ｃが有効ラインに表示する図柄の組み合せと、上述のフラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、主制御基板はメダル払出装置を駆動して、クレジットの上限を超える枚数分のメダルをメダル払出口１６より受け皿４ａへ払い出している。
【００２５】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００２６】
次に、かかるスロットマシン１に装備される絵柄表示装置５０の実施形態を説明する。ここで、図２は、絵柄表示装置５０が装備された前扉３の部分を裏面側から見た場合の背面図である。また、図３は、図２に示される部分をリール１０ａが設置される位置で切断した場合の縦断面図である。
【００２７】
これらの図を参照し、前扉３の所定フレームには、前面に中パネル９（図１参照）を配置し、裏面側に本発明に係る絵柄表示装置５０を取り付けた中パネルユニット９ｕが固定されている。なお、図３に示すように、各リール１０ａ、１０ｂ、１０ｃを横方向に配置したリール装置１０は、スロットマシン１のキャビネット２内に設けたブラケット２３に固定されており、絵柄表示装置５０は、前扉３をキャビネット２側に閉じたときにリール装置１０の前方正面に配置される。
【００２８】
絵柄表示装置５０は、複数枚の表示板５１ａ（５１１ａ、５１２ａ）を収容可能な収容部５２と、収容部５２内の表示板５１ａを支持し、表示板５１ａを選択的に落下させる支持ゲート機構部５５ａと、落下した表示板５１ａを所定の表示位置に案内する案内部５３ａと、表示位置に落下した表示板５１ａを収容部５２内の元の収容位置に回収する回収機構部５４ａとを備えている。そして、収容部５２、支持ゲート機構部５５ａ、案内部５３ａ、回収機構部５４ａを備えてなる絵柄表示装置５０のユニットが、リール１０ａの図柄を透視させる表示窓９ａの裏面側に配設されている。
【００２９】
同様に、リール１０ｂの図柄を透視させる表示窓９ｂには、表示板５１ｂを収容する収容部５２、支持ゲート機構部５５ｂ、案内部５３ｂ、回収機構部５４ｂを備えてなる絵柄表示装置５０のユニットが配設され、また、リール１０ｃの図柄を透視させる表示窓９ｃには、表示板５１ｃを収容する収容部５２、支持ゲート機構部５５ｃ、案内部５３ｃ、回収機構部５４ｃを備えてなるユニットが配設されている。これら絵柄表示装置５０を構成する３個のユニットは、何れも同一の構造を有しているため、ここでは代表して表示窓９ａに設置される絵柄表示装置５０のユニットの構造を詳細に説明する。
【００３０】
表示板５１ａは、矩形のプラスチックカードにより形成され、一面側に絵、文字、数字等をアレンジした絵柄が印刷され描かれている。そして、収容部５２内には、複数枚の表示板５１ａが、絵柄が描かれた面を前面にして前後方向に重ね合わせた状態で収容されている。
【００３１】
支持ゲート機構部５５ａは、図４に示すように、各表示板５１ａの下縁部を支持する断面半円状の回転支持軸５５１がそれぞれ回転駆動可能に設けられている。回転支持軸５５１の中心軸と表示板５１ａの重心とは前後方向でずれており、回転支持軸５５１がその平面を基準にして水平状態から垂直状態に回転すると、支持されていた表示板５１ａが案内部５３ａ側に落下するように構成されている。また、支持ゲート機構部５５ａは、外部からの指令信号により個々の回転支持軸５５１を回転駆動し、これにより選択的に表示板５１ａを表示位置に落下させる。
【００３２】
なお、本実施形態の表示板５１ａは、後述する上下一対の表示面を構成する上絵柄が描かれた表示板５１１ａと、下絵柄が描かれた表示板５１２ａの何れかに属し、収容部５２内には上下用の各表示板５１１ａ、５１２ａが交互に収容されている（図４参照）。
【００３３】
案内部５３ａは、表示窓９ａの両側に沿って設けられ、図２の楕円内に示すように、表示板５１ａの側縁部を遊挿させる案内溝（５３１ａまたは５３２ａ）が形成されている。また、案内部５３ａは、図３に示されるように、上絵柄が描かれた表示板５１１ａが収容される位置から当該表示板５１１ａを上側の第１表示位置へ案内しそこで保持する案内溝５３１ａと、下絵柄が描かれた表示板５１２ａが収容される位置から当該表示板５１２ａを下側の第２表示位置へ案内し保持する案内溝５３２ａとが、前後方向において交互に形成されている（図３参照）。
【００３４】
絵柄表示装置５０は、外部からの指令信号に応じて支持ゲート機構部５５ａを作動させ、何れかの表示板５１１ａを案内溝５３１ａの下端に落下させることで、リール１０ａの上半分を覆う第１表示位置に表示板５１１ａの絵柄（上絵柄）を表示する。また、支持ゲート機構部５５ａを作動させ何れかの表示板５１２ａを案内溝５３２ａの下端に落下させることで、リール１０ａの下半分を覆う第２表示位置に表示板５１２ａの絵柄（下絵柄）を表示する。これにより、リール１０ａの前方に表示板５１１ａと表示板５１２ａとからなる上下一対の表示面が形成され、これらで形成される絵柄がリール１０ａの図柄に優先して表示される。
【００３５】
また、既に表示されている表示板５１１ａ、５１２ａよりも前方に収容されている表示板５１１ａ、５１２ａを順次落下させることで、短時間に絵柄を変動表示することができる。
【００３６】
次に、図５は、回収機構部５４ａの詳細を表した斜視図である。この回収機構部５４ａは、鉛直のガイド軸５４２に沿って上下に往復移動可能な昇降部５４１を備えている。昇降部５４１には回転モータが内蔵され、この回転モータの軸に連結する軸部５４３が前方に延びている。軸部５４３には、中心角を３等分する外周位置においてそれぞれ放射状に突出する支承部５４４、５４５、５４６が一体形成されている。
【００３７】
第１の支承部５４４は、軸部５４３の軸方向を長手方向とする板状に形成されている。また、第２の支承部５４５は、軸部５４３の軸方向に沿って溝部５４５ａと交互に全体的に櫛状に形成されている。同様に、第３の支承部５４６は、軸部５４３の軸方向に沿って溝部５４６ａと交互に全体的に櫛状に形成されている。第２の支承部５４５の配列は、下絵柄の表示板５１２ａを案内保持する各案内溝５３２ａの前後位置にそれぞれ一致している。また、第３の支承部５４６の配列は、上絵柄の表示板５１１ａを案内保持する各案内溝５３１ａの前後位置にそれぞれ一致している。
【００３８】
次に、第１または第２表示位置にある表示板５１ａ（５１１ａ、５１２ａ）を回収機構部５４ａにより回収する動作を図６及び図７を参照して説明する。絵柄表示を終了させるときなど外部からの指令信号に応じて、まず昇降部５４１をガイド軸５４２の最下位置に移動させる（図６参照）。そして、何れかの支承部（図６の例では第１の支承部５４４）を表示板５１１ａ、５１２ａ側に向けた回動位置に設定する。そして、図７に示されるように昇降部５４１を上昇移動させることで、各表示板５１１ａ、５１２ａの側縁部から突出する突出片５１１ａａ、５１２ａａを支承しながら揚送し、これらをワンウェイ動作で上述の収容部５２の各所定位置に収容する。これにより、表示板５１ａの回収を効率良く行い、絵柄表示のサイクルを高速化することができる。
【００３９】
なお、本実施形態では、図示はしていないが、第２の支承部５４５を表示板５１２ａ側に向けた回動位置に設定して昇降部５４１を上昇させれば、下側の第２表示位置に保持される表示板５１２ａのみを収容部５２へ迅速に収容することができる。また、第３の支承部５４６を表示板５１１ａ側に向けた回動位置に設定して昇降部５４１を上昇させれば、上側の第１表示位置に保持される表示板５１１ａのみを収容部５２へ迅速に収容することができる。
【００４０】
図８は、絵柄表示装置５０が装備されるスロットマシン１による表示動作の一例を表している。同図に示されるように、例えば向かって左端の表示窓９ａに任意に選択した表示板５１１ａ、５１２ａをそれぞれ落下させることで、これらの上下一対の表示板５１１ａ、５１２ａにより合成される絵柄をリール１０ａの前方で優先的に表示させることができる。また、下側の表示位置（第２表示位置）のみに例えば表示板５１２ｂを落下させることで、リール１０ｂの下半分を当該表示板５１２ｂで覆いつつその絵柄を表示させ、リール１０ｂの上半分との図柄に連携させた演出表示も可能となる。
【００４１】
本実施形態の絵柄表示装置５０によれば、リーフ式表示装置等の従来の表示装置に比較して絵柄を短時間で変動表示でき、また表示のサイクルも高速化することができる。また、使用により経時的に劣化する部分が少なく長期使用にも好適である。
【００４２】
また、絵柄表示装置５０を装備するスロットマシン１によれば、リール１０ａ、１０ｂ、１０ｃの図柄に優先して表示板５１ａ、５１ｂ、５１ｃの絵柄を表示することで、リールの図柄に連携した多様な絵柄を用いた演出表示が可能となり、視覚的な演出効果を高めることができる。
【産業上の利用可能性】
【００４３】
本発明に係る絵柄表示装置は、スロットマシンに限らず、リールを使った図柄の組み合わせゲームを提供する例えばパチンコ等の一般的な遊技機においても広く応用され得る。
【図面の簡単な説明】
【００４４】
【図１】回胴式遊技機の実施形態であるスロットマシンの正面図である。
【図２】図１に示したスロットマシンの絵柄表示装置が装備された前扉の部分を表した背面図である。
【図３】図１に示したスロットマシンの絵柄表示装置が装備された部分の縦断面図である。
【図４】実施形態による絵柄表示装置の収容部及び支持ゲート機構部を表した斜視図である。
【図５】実施形態による絵柄表示装置の回収機構部を表した斜視図である。
【図６】図５に示した回収機構部の動作を説明するための図である。
【図７】図５に示した回収機構部の動作を更に説明するための図である。
【図８】実施形態による絵柄表示装置が装備されるスロットマシンによる表示動作の一例を表した図である。
【符号の説明】
【００４５】
１…スロットマシン
３…前扉                                  ４…受け皿部材
４ａ…受け皿                              ５ａ、５ｂ、５ｃ…フィーバーランプ
６ａ、６ｂ、７ａ、７ｂ…スピーカ          ８…液晶表示装置
９…中パネル                              ９ａ、９ｂ、９ｃ…表示窓
９ｕ…中パネルユニット                    １０ａ、１０ｂ、１０ｃ…リール
１１…メダル投入部                        １２…ベットボタン
１３…スタートレバー                      １４ａ、１４ｂ、１４ｃ…ストップボタン
１６…メダル払出口                        １７ａ、１７ｂ…スピーカ
５０…絵柄表示装置
５１ａ、５１ｂ、５１ｃ…表示板            ５２…収容部
５３ａ、５３ｂ、５３ｃ…案内部            ５４ａ、５４ｂ、５４ｃ…回収機構部
５５ａ、５５ｂ、５５ｃ…支持ゲート機構部
５１１ａ、５１２ａ…表示板                ５３１ａ、５３２ａ…案内溝
５４１…昇降部                            ５４２…ガイド軸
５４３…軸部                              ５４４、５４６、５４７…支承部
５５１…回転支持軸
【図１】
2008237514.tif 000003
【図２】
2008237514.tif 000004
【図３】
2008237514.tif 000005
【図４】
2008237514.tif 000006
【図５】
2008237514.tif 000007
【図６】
2008237514.tif 000008
【図７】
2008237514.tif 000009
【図８】
2008237514.tif 000010